(57)【要約】【課題】背凭れの傾動を繰り返しても背凭れと背凭れ支持体との連結部位に緩みを発生させず、かつ背凭れの成形コストの面でも優れる椅子を提供する。【解決手段】背凭れ８の第一連結部２１が、背凭れ支持体７の第二連結部２２に向けて突出する嵌合凸部２４，２５を有すると共に、背凭れ支持体７の第二連結部２２が、嵌合凸部２４，２５を嵌合させる嵌合凹部を有し、嵌合凸部２４，２５が、これらを互いに嵌合させたときに対向、摺接し、背凭れ８の下方への変位に伴って第一連結部２１及び第二連結部２２を互いに近付けるように付勢するガイド面２８，２９を有する。【選択図】図３
2014079271.tif 000002
【特許請求の範囲】
【請求項１】
脚体と、該脚体に支持される背凭れ支持体と、該背凭れ支持体に支持される背凭れと、を備える椅子において、
前記背凭れが、前記背凭れ支持体と前後方向で対向する第一連結部を有すると共に、前記背凭れ支持体が、前記第一連結部に対向して重合する第二連結部を有し、
前記第一連結部及び第二連結部の一方が、他方に向けて突出する嵌合凸部を有すると共に、前記第一連結部及び第二連結部の他方が、前記嵌合凸部を嵌合させる嵌合凹部を有し、
前記嵌合凸部及び嵌合凹部の少なくとも一方が、前記背凭れの下方への変位に伴って前記第一連結部及び第二連結部を互いに近付けるように付勢するガイド面を有することを特徴とする椅子。
【請求項２】
前記第一連結部及び第二連結部の一方に、上下に延びるネジ挿通孔を有する突出部を有し、
前記第一連結部及び第二連結部の他方に、前記嵌合凸部及び嵌合凹部が嵌合した状態で前記突出部を前記ネジ挿通孔に沿う方向で突き当てる突き当て部と、該突き当て部とは反対側から前記ネジ挿通孔に挿通したネジによって前記突出部を締結する雌ネジ部と、を有することを特徴とする請求項１に記載の椅子。
【請求項３】
前記第一連結部及び第二連結部の他方に、前記嵌合凸部及び嵌合凹部が嵌合した状態で前記突出部を前記ネジ挿通孔に交差する方向で位置決めするべく嵌合させる位置決め凹部を有することを特徴とする請求項２に記載の椅子。
【請求項４】
互いに嵌合する前記嵌合凸部及び嵌合凹部の組が、上下方向に離間した上段嵌合組と下段嵌合組とに分かれ、
前記突出部及び雌ネジ部の少なくとも一方が、上下方向で前記上段嵌合組及び下段嵌合組の間に配置されることを特徴とする請求項２又は３に記載の椅子。
【請求項５】
前記上段嵌合組及び下段嵌合組の少なくとも一方が、左右方向に離間して複数設けられ、前記突出部及び雌ネジ部が、左右方向に離間した複数の嵌合組の間に配置されることを特徴とする請求項４に記載の椅子。
【発明の詳細な説明】
【技術分野】
【０００１】
本発明は、背凭れと脚体より起立する背凭れ支持体とを前後方向に重合させて連結する椅子に関する。
【背景技術】
【０００２】
従来、脚体と、該脚体に支持された背凭れ支持体と、該背凭れ支持体の前面に重合された状態で連結される背凭れと、を備える椅子が知られている（例えば、特許文献１−４参照）。
これらの椅子では、座の下方に位置する背凭れの差動機構部（支基）に連結された上下方向の背凭れ支持体の前面側に、背凭れの上下両部が連結されている。この構造は、背凭れを背凭れ支持体の大きさに関係なく大型のものとし、着座者の背中を広く支持することを意図してなされたものである。
【先行技術文献】
【特許文献】
【０００３】
【特許文献１】欧州特許第１０３９８１６号明細書
【特許文献２】特許第４１８３０７１号明細書
【特許文献３】米国特許第７２４９８０２号明細書
【特許文献４】国際公開第２００６／０９４２５８号
【発明の概要】
【発明が解決しようとする課題】
【０００４】
上記した椅子の多くにおいて、背凭れ支持体は支基に左右方向の枢軸回りに枢支されている。背凭れ支持体と一体化された背凭れは、回動軸が座の下方に位置していることから大きな範囲を回動可能であり、一般的に２０度から３０度にかけての範囲で回動することで、背凭れが起立した執務状態と、後傾した安楽状態とに切り替えることができる。
しかし、こうした椅子の使い勝手を鑑みると、上記文献に開示される椅子には、以下のような課題がある。
特許文献１では、Klemmschraube４２によって、背凭れ支持体を構成するRuckentrager４とRuckenstutze５とが相互に連結されているので、傾動を繰り返すことでKlemmschraube４２に対して緩もうとする力が作用することになる。
特許文献２では、バックフレーム１８と背インナー板２０とが、各々の下部に設けられたＬ字形状のフック３８と係合バー３９との係合によって可動に連結されているので、背インナー板の変形を阻害しない点でメリットがある一方、背インナー板のバックフレームからの脱落のおそれがある。
特許文献３では、背凭れとしてのbuck member３０２の下部と背凭れ支持体としてのback support member３０４の下部とを、前後方向に対向させてfastener３２７で連結する方式であり、特許文献１と同様、経年使用によって緩むおそれがある。
特許文献４では、背凭れとしてのback support２３と、背凭れ支持体としてのuqright１９とを、hub２２とconnector４９とを嵌合させた上で、下方から挿入されるbolt５０によって連結する構造である。bolt５０が上向きなので、特許文献１，３のような問題は発生し難いが、connector４９に対してはせん断力が作用するようになるので、肉厚を大としたり、樹脂内にインサート成形された金属製とする等して強度を大とする必要があり、背凭れの成形コストを増大させる。
【０００５】
本発明は上記事情に鑑みてなされたもので、背凭れの傾動を繰り返しても背凭れと背凭れ支持体との連結部位に緩みを発生させず、かつ背凭れの成形コストの面でも優れる椅子を提供することを目的とする。
【課題を解決するための手段】
【０００６】
上記目的を達成するために、本発明は以下の手段を採用している。
すなわち、本発明に係る椅子は、脚体と、該脚体に支持される背凭れ支持体と、該背凭れ支持体に支持される背凭れと、を備える椅子において、前記背凭れが、前記背凭れ支持体と前後方向で対向する第一連結部を有すると共に、前記背凭れ支持体が、前記第一連結部に対向して重合する第二連結部を有し、前記第一連結部及び第二連結部の一方が、他方に向けて突出する嵌合凸部を有すると共に、前記第一連結部及び第二連結部の他方が、前記嵌合凸部を嵌合させる嵌合凹部を有し、前記嵌合凸部及び嵌合凹部の少なくとも一方が、前記背凭れの下方への変位に伴って前記第一連結部及び第二連結部を互いに近付けるように付勢するガイド面を有することを特徴とする。
このように構成された椅子では、背凭れの第一連結部と背凭れ支持体の第二連結部とを重合させた上で、嵌合凸部と嵌合凹部とを嵌合させると、背凭れが自重で下方に変位し、ガイド面によって第一連結部と第二連結部とが互いに近付くように付勢される。このため、背凭れの傾動を繰り返した際に背凭れと背凭れ支持体とを離間させようとする力が作用しても、背凭れと背凭れ支持体との間の緩みが発生し難くなる。また、背凭れの第一連結部と背凭れ支持体の第二連結部とに凹凸を設けるのみでよく、これらを例えば簡素な形状や構成の金型といった手段で成形することができ、成形コストの増大が抑えられる。
【０００７】
また、本発明に係る椅子は、前記第一連結部及び第二連結部の一方に、上下に延びるネジ挿通孔を有する突出部を有し、前記第一連結部及び第二連結部の他方に、前記嵌合凸部及び嵌合凹部が嵌合した状態で前記突出部を前記ネジ挿通孔に沿う方向で突き当てる突き当て部と、該突き当て部とは反対側から前記ネジ挿通孔に挿通したネジによって前記突出部を締結する雌ネジ部と、を有することが好ましい。
このように構成された椅子では、第一連結部及び第二連結部の一方に設けた突出部と他方に設けた突き当て部とを、突出部のネジ挿通孔に沿って上下に突き当てると共に、ネジ挿通孔に挿通したネジによって突出部と雌ネジ部とを締結することで、嵌合凸部及び嵌合凹部が締結部材の引き寄せ作用によって強く圧接されて嵌合作用を強め、背凭れと背凭れ支持体との間の緩みがより発生し難くなる。
【０００８】
また、本発明に係る椅子は、前記第一連結部及び第二連結部の他方に、前記嵌合凸部及び嵌合凹部が嵌合した状態で前記突出部を前記ネジ挿通孔に交差する方向で位置決めするべく嵌合させる位置決め凹部を有することが好ましい。
このように構成された椅子では、突出部をネジ挿通孔に交差する方向で位置決めすることで、突出部と雌ネジ部との締結作業が行い易くなり、かつ締結部材の締結力をより大きく作用させて、背凭れと背凭れ支持体との間の緩みがより発生し難くなる。
【０００９】
また、本発明に係る椅子は、互いに嵌合する前記嵌合凸部及び嵌合凹部の組が、上下方向に離間した上段嵌合組と下段嵌合組とに分かれ、前記突出部及び雌ネジ部の少なくとも一方が、上下方向で前記上段嵌合組及び下段嵌合組の間に配置されることが好ましい。
このように構成された椅子では、嵌合凸部及び嵌合凹部の組が上下に離間して複数設けられることで、背凭れと背凭れ支持体との間に作用する保持力を増大させると共にバランスを向上させる。上段嵌合組及び下段嵌合組の間に突出部及び雌ネジ部の少なくとも一方を配置することで、何れの嵌合位置に対しても締結部材の締結力をバランスよく作用させ、背凭れと背凭れ支持体との間の緩みをより発生し難くする。
【００１０】
また、本発明に係る椅子は、前記上段嵌合組及び下段嵌合組の少なくとも一方が、左右方向に離間して複数設けられ、前記突出部及び雌ネジ部が、左右方向に離間した複数の嵌合組の間に配置されることが好ましい。
このように構成された椅子では、上段嵌合組及び下段嵌合組の少なくとも一方の組が左右に離間して複数設けられ、これら左右に離間した嵌合組の間に突出部及び雌ネジ部が配置されることで、左右の嵌合位置に対して締結部材の締結力をバランスよく作用させると共に、背凭れに左右方向にねじれようとする動きが加わって背凭れがネジの軸心を中心として左右方向に回転しようとしても、左右に離間した嵌合組の嵌合により前記回転に対する強度を確保でき、一本のネジだけで十分に背凭れの強度を確保することができる。
【発明の効果】
【００１１】
本発明によれば、背凭れの傾動を繰り返しても背凭れと背凭れ支持体との連結部位に緩みを発生させず、かつ背凭れの成形コストの面でも優れる椅子を提供することができる。
【図面の簡単な説明】
【００１２】
【図１】本発明の実施形態における椅子の斜視図である。
【図２】上記椅子の側面図であり、（ａ）は背凭れを後傾させる前の状態、（ｂ）は背凭れを後傾させた状態をそれぞれ示す。
【図３】上記背凭れ及びこれを支持する背凭れ支持体を分離して斜め後方から見た斜視図である。
【図４】上記背凭れ及び背凭れ支持体を分離して斜め前方から見た斜視図である。
【図５】上記背凭れ及び背凭れ支持体の正面図である。
【図６】図５のＶＩ−ＶＩ断面図である。
【図７】図５のＶＩＩ−ＶＩＩ断面図である。
【発明を実施するための形態】
【００１３】
以下、本発明の実施形態について図面を参照して説明する。
図１に示すように、本実施形態の椅子１は、キャスタ２付きの脚体３と、脚体３の中央部より起立する脚柱４と、脚柱４の上端部に取り付けられて座体５を支持する支基６と、支基６の左右両側部に前下端部が枢着されて支基６内の不図示のリクライニング機構により後傾し得る側面視Ｌ字状の背凭れ支持体７と、背凭れ支持体７の後上部の前面に取り付けられる背凭れ８と、背凭れ支持体７の下部の左右両側に支持される肘掛け９と、を備える。
【００１４】
図４を併せて参照し、背凭れ支持体７は、例えばアルミニウム合金からなるダイキャスト品であり、背凭れ８の下部後方に配置される正面視（前後方向視）三角形状の起立部１１と、起立部１１の下方で左右に分岐して前方に湾曲しつつ延びる左右一対の前向き腕部１２と、を一体に有する。支基６の左右両側には、前記リクライニング機構における左右方向に沿う不図示の回動軸が突出し、この回動軸に左右前向き腕部１２の前端部が一体回転可能に取り付けられる。背凭れ支持体７は、前記リクライニング機構の作用により、前後に傾動したり所望の後傾位置で停止し得る。
【００１５】
左右前向き腕部１２の前部上側には、座体５の前後中間部の下面に向けて延びる座体連結部１３が突設される。座体５の前部の下面は、支基６の前部の上面に前後摺動可能に支持される。左右前向き腕部１２の前部の左右外側には、肘掛け９の支持柱１４における左右内側に向けて湾曲する下部湾曲部の内側端が締結等により固定される。
【００１６】
図２（ａ）に示すように、背凭れ支持体７が後方へ傾動する前の起立状態から、図２（ｂ）に示すように、背凭れ支持体７が後方へ傾動すると、背凭れ８と共に肘掛け９も同様に後方へ傾動する。このとき、座体５が前向き腕部１２の座体連結部１３によって下後方へ引かれ、座体５の前部は支基６に対して後方へ摺動し、もって座体５が背凭れ支持体７の傾動に連動して後方へ移動しつつ後下がりに傾動する。
【００１７】
図１に示すように、背凭れ８は、その骨格をなす背凭れフレーム１５の前面開口部にメッシュ生地１６を張設した構成を有する。背凭れフレーム１５は、例えば合成樹脂からなる射出成型品であり、前面開口部を形成する枠部１７と、枠部１７の後方でその上下に亘る中央幹部１８と、を一体に有する。
図３を併せて参照し、中央幹部１８の下部の後面側は、背凭れ支持体７の起立部１１の前面側と前後方向で対向して重なり合い、これらが一体的に連結される。以下、背凭れ８の中央幹部１８の下部後面側を第一連結部２１、背凭れ支持体７の起立部１１の前面側を第二連結部２２という。
【００１８】
図３に示すように、背凭れ８の第一連結部２１は、正面視で起立部１１と略同形の三角形状をなし、中央幹部１８の下部にその外表面（意匠面）に対して前方に段差状に変位した合わせ面２３を形成する。合わせ面２３の上部には、背凭れ支持体７の第二連結部２２に向けて突出する単一の上嵌合凸部２４が形成される。合わせ面２３の下部の左右両側には、同じく背凭れ支持体７の第二連結部２２に向けて突出する下嵌合凸部２５がそれぞれ形成される。
【００１９】
各嵌合凸部２４，２５は、それぞれ正面視（前後方向視）で上方に開放する門形をなし、水平方向に対して後下がりに傾斜して突出する。
詳細には、上嵌合凸部２４は、左右方向と略平行をなして後下がりに傾斜する係止板部２６と、係止板部２６の左右両側から上方へ延びる左右側板部２７と、を有する。係止板部２６の下面は、左右方向と略平行をなして後下がりに傾斜する上第一ガイド面２８とされる。上嵌合凸部２４は、係止板部２６の左右中央から上方へ延びる中央板部３１をさらに有する。
左右下嵌合凸部２５は、左右方向と略平行をなして後下がりに傾斜する係止板部３２と、係止板部３２の左右両側から上方へ延びる左右側板部３３と、を有する。係止板部３２の下面は、左右方向と略平行をなして後下がりに傾斜する下第一ガイド面２９とされる。上第一ガイド面２８及び左右下ガイド面２９の傾斜角度は相互に略同一とされる。
【００２０】
上嵌合凸部２４の下方かつ下嵌合凸部２５の上方において、合わせ面２３の左右中央には、ナット保持部３４及び複数のリブ３５が凸設され、かつ合わせ面２３の左右両側には、前面視三角形状の肉抜き部３６が凹設される。左右肉抜き部３６内の左右方向と略平行な下端面３７は、左右肉抜き部３６で互いに略面一とされる。左右肉抜き部３６の下端面３７間には、これらと略面一の連結面３８が形成され、この連結面３８に複数のリブ３５の下端が突き当たる。上嵌合凸部２４の基端直下には、中央幹部１８を前後に貫通する矩形状の開口６９が形成される。開口６９は、上嵌合凸部２４を成型するにあたり、背凭れフレーム１５の前方へ金型の抜きが発生することにより設けられる。
【００２１】
図４に示すように、背凭れ支持体７の第二連結部２２は、第一連結部２１の合わせ面２３にほぼ整合する支持体側合わせ面４３を形成する。支持体側合わせ面４３の上端部には、上嵌合凸部２４を嵌合させる単一の上嵌合凹部４４が凹設される。支持体側合わせ面４３における上嵌合凹部４４の下方には、中央肉抜き部４６が凹設される。支持体側合わせ面４３における中央肉抜き部４６の左右両側には、左右肉抜き部４７が凹設される。左右肉抜き部４７の下部は、左右下嵌合凸部２５をそれぞれ嵌合させる下嵌合凹部４５とされる。中央肉抜き部４６と左右肉抜き部４７との間には、左右方向と略直交する板状をなし後端縁を支持体側合わせ面４３に沿わせるリブ５１が立設される。
【００２２】
上嵌合凹部４４は正面視矩形状をなし、上嵌合凹部４４内の下端面は、左右方向と略平行で後下がりに傾斜する上第二ガイド面４８とされる。左右下嵌合凹部４５内の下端面は、左右方向と略平行で後下がりに傾斜する下第二ガイド面４９とされる。中央肉抜き部４６内の下端面５２も左右方向と略平行で後下がりに傾斜し、該下端面５２及び左右下第二ガイド面４９が相互に略面一とされる。
上第二ガイド面４８及び左右下第二ガイド面４９の傾斜角度は、相互に略同一とされる。図６に示すように、上嵌合凹部４４の上第二ガイド面４８には、背凭れ８の上嵌合凸部２４の上第一ガイド面２８が対向して係合する。図７に示すように、左右下嵌合凹部４５の下第二ガイド面４９には、背凭れ８の左右下嵌合凸部２５の下第一ガイド面２９がそれぞれ対向して係合する。
【００２３】
支基６に支持した背凭れ支持体７に背凭れ８を取り付ける際には、背凭れ支持体７の第二連結部２２に背凭れ８の第一連結部２１を上前方から接近させ、各嵌合凸部２４，２５と各嵌合凹部４４，４５とを各ガイド面２８，２９，４８，４９に沿うように係合させる。
このとき、上第一ガイド面２８と上第二ガイド面４８、及び下第一ガイド面２９と下第二ガイド面４９は、それぞれの傾斜に沿って互いに摺接する。背凭れ８は、背凭れ支持体７に対して各ガイド面２８，２９，４８，４９に沿って下方に変位する際、第一連結部２１を背凭れ支持体７の第二連結部２２に押し付ける。このため、背凭れ８の第一連結部２１と背凭れ支持体７の第二連結部２２とがガタなく重なり合う。すなわち、各嵌合凹部４４，４５に各嵌合凸部２４，２５を係合させることのみで、作業者が背凭れ８を係合方向に変位させる動作に加えて、背凭れ８の自重も利用して背凭れ８を背凭れ支持体７に容易かつ確実に仮保持できる。
【００２４】
図４、図６に示すように、第二連結部２２の下端部には、上下に延びる（詳細には上下方向に対してやや後傾して延びる）ネジ挿通孔５３を有する突出部５４が形成される。突出部５４は、中央肉抜き部４６内の底面（後面）から中央肉抜き部４６の下壁と交差するように前方へ突出する。突出部５４は、ネジ挿通孔５３と略平行な半円筒状をなして支持体側合わせ面４３よりも前方に突出する湾曲外周面５５と、ネジ挿通孔５３と略直交する上端面５６と、を形成する。
【００２５】
図３、図６に示すように、第一連結部２１の下部には、各嵌合凸部２４，２５及び各嵌合凹部４４，４５を互いに係合しきった状態で、突出部５４の上端面５６をネジ挿通孔５３に沿う方向で下方から突き当てる突き当て部５７が設けられる。突き当て部５７は、位置決め凹部３９内の上端面４１と左右肉抜き部３６間の連結面３８との間に形成される。連結面３８は突き当て部５７の上面となり、位置決め凹部３９内の上端面４１は突き当て部５７の下面となる。突き当て部５７の中央には、突出部５４に下方から挿通して突出部５４の上方に突出したネジ（締結ボルト）６１の首下を避けるための切り欠き５８が形成される。ネジ挿通孔５３の下部には、ネジ６１の頭部を入り込ませる座刳り５９が形成される。突出部５４を貫通したネジ６１は、複数のリブ３５の間を通過し、その上方のナット保持部３４に保持されたナット部材６２に螺合される。
【００２６】
ナット保持部３４は、正面視で上方に開放する門形をなし、略水平に後方へ突出する。ナット保持部３４は、略水平な下板部６３と、下板部６３の左右両側から上方へ延びる左右側板部６４と、を有する。下板部６３上で左右側板部６４間には、板状のナット部材６２が保持される。下板部６３の中央には、ネジ挿通用の切り欠き６５が形成される。ナット保持部３４及びナット部材６２は、ネジ挿通孔５３に挿通したネジ６１によって突出部５４ひいては第二連結部２２に第一連結部２１を締結する雌ネジ部６６を構成する。下板部６３の下面と突き当て部５７の上面（連結面３８）との間には、左右方向と略直交する板状のリブ３５が複数（四つ）形成される。各リブ３５は、下板部６３の下面から突き当て部５７の上面までの間で、下側ほど前後幅を狭めて形成される。
【００２７】
図５を併せて参照し、ナット保持部３４及びリブ３５は、上下方向で上嵌合凸部２４と左右下嵌合凸部２５との間に配置される。以下、背凭れ８の上嵌合凸部２４と背凭れ支持体７の上嵌合凹部４４との組を上段嵌合組６７、背凭れ８の左右下嵌合凸部２５と背凭れ支持体７の左右下嵌合凹部４５との各組を下段嵌合組６８とする。ナット保持部３４及びリブ３５は、上下方向で互いに離間する上段嵌合組６７と下段嵌合組６８との間に配置される。突き当て部５７は、左右下嵌合凸部２５と同等の高さに配置される。ナット保持部３４、リブ３５及び突き当て部５７は、左右方向で互いに離間する左右下段嵌合組６８の間に配置される。
【００２８】
図３、図４、図６を参照し、突き当て部５７直下の位置決め凹部３９は、各嵌合凸部２４，２５及び各嵌合凹部４４，４５を互いに係合しきった状態で、湾曲内周面４０に突出部５４の湾曲外周面５５を整合させる。ことで、突出部５４周辺をネジ挿通方向と交差する方向で位置決めする。これにより、突出部５４に挿通したネジ６１を締め込む際の心ズレが抑えられ、第一連結部２１及び第二連結部２２の締結トルクを確保し易くなる。
【００２９】
以上説明したように、上記実施形態における椅子１は、背凭れ８の第一連結部２１が、背凭れ支持体７の第二連結部２２に向けて突出する嵌合凸部２４，２５を有すると共に、背凭れ支持体７の第二連結部２２が、嵌合凸部２４，２５を嵌合させる嵌合凹部４４，４５を有し、嵌合凸部２４，２５及び嵌合凹部４４，４５が、これらを互いに嵌合させたときに対向、摺接し、背凭れ８の下方への変位に伴って第一連結部２１及び第二連結部２２を互いに近付けるように付勢するガイド面２８，２９，４８，４９を有するものである。
この構成によれば、背凭れ８の自重を利用して背凭れ８の第一連結部２１と背凭れ支持体７の第二連結部２２とが互いに近付くように付勢されるため、背凭れ８の傾動を繰り返しても背凭れ８と背凭れ支持体７との間の緩みが発生し難くなる。また、背凭れ８の第一連結部２１と背凭れ支持体７の第二連結部２２とに凹凸を設けるのみでよく、これらの成形コストの増大が抑えられる。
【００３０】
また、上記椅子１は、背凭れ支持体７の第二連結部２２に、上下に延びるネジ挿通孔５３を有する突出部５４を有し、背凭れ８の第一連結部２１には、突出部５４をネジ挿通孔５３に沿う方向で下方から突き当てる突き当て部５７を有すると共に、突き当て部５７とは反対側からネジ挿通孔５３に挿通したネジ６１によって突出部５４を締結する雌ネジ部６６を有することで、上下に延びるネジ挿通孔５３に沿う方向で第一連結部２１及び第二連結部２２の相対位置が規定されると共に、ネジ挿通孔５３に沿う方向で突出部５４及び雌ネジ部６６を締結することで、嵌合凸部２４，２５及び嵌合凹部４４，４５の嵌合作用が強まり、背凭れ８と背凭れ支持体７との間の緩みがより発生し難くなる。
【００３１】
また、上記椅子１は、  背凭れ８の第一連結部２１に、突出部５４をネジ挿通孔５３と交差する方向で位置決めするべく嵌合させる位置決め凹部３９を有することで、突出部５４及び雌ネジ部６６の締結作業が容易になり、かつ締結部材の締結力をより大きく作用させて、背凭れ８と背凭れ支持体７との間の緩みがより発生し難くなる。
【００３２】
また、上記椅子１は、互いに嵌合する嵌合凸部２４，２５及び嵌合凹部４４，４５の組が、上下方向に離間した上段嵌合組６７と下段嵌合組６８とに分かれることで、背凭れ８と背凭れ支持体７との間に作用する保持力を増大させると共にバランスを向上させる。また、雌ネジ部６６が上下方向で上段嵌合組６７及び下段嵌合組６８の間に配置されることで、何れの嵌合位置に対しても締結部材の締結力をバランスよく作用させ、背凭れ８と背凭れ支持体７との間の緩みをより発生し難くする。
【００３３】
また、上記椅子１は、下段嵌合組６８が左右方向に離間して一対設けられ、前記突出部５４及び雌ネジ部６６が、左右方向に離間した一対の下段嵌合組６８の間に配置されることで、左右の嵌合位置に対して締結部材の締結力をバランスよく作用させると共に、背凭れ８に左右方向にねじれようとする動きが加わって背凭れ８がネジ６１の軸心を中心として左右方向に回転しようとしても、左右に離間した嵌合組の嵌合により前記回転に対する強度を確保でき、一本のネジ６１だけで十分に背凭れ８の強度を確保することができる。
【００３４】
なお、上記実施形態における構成は本発明の一例であり、当該発明の要旨を逸脱しない範囲で種々の変更が可能である。
例えば、第一連結部２１に嵌合凹部を設けると共に、第二連結部２２に嵌合凸部を設けた構成でもよい。互いに嵌合する嵌合凸部及び嵌合凹部の何れを第一連結部２１及び第二連結部２２に設けてもよい。互いに嵌合する嵌合凸部及び嵌合凹部の一方のみに、第一連結部２１及び第二連結部２２を互いに近付けるように付勢するガイド面を設けてもよい。第一連結部２１に突出部５４を設けると共に、第二連結部２２に突き当て部５７、雌ネジ部６６及び位置決め凹部３９を設けた構成でもよい。突出部５４及び突き当て部５７が上段嵌合組６７及び下段嵌合組６８の間に配置される構成でもよい。上段嵌合組６７及び下段嵌合組６８の総数は三組に限らず、二組又は四組以上もあり得るが、背凭れ８の左右のねじれに抗するためにも、上段嵌合組６７及び下段嵌合組６８の少なくとも一方が左右に離間して複数設けられることが好ましい。
【符号の説明】
【００３５】
１  椅子
３  脚体
７  背凭れ支持体
８  背凭れ
２１  第一連結部
２２  第二連結部
２４  上嵌合凸部（嵌合凸部）
２５  下嵌合凸部（嵌合凸部）
２８  上第一ガイド面（ガイド面）
２９  下第一ガイド面（ガイド面）
３９  位置決め凹部
４４  上嵌合凹部（嵌合凹部）
４５  下嵌合凹部（嵌合凹部）
４８  上第二ガイド面（ガイド面）
４９  下第二ガイド面（ガイド面）
５３  ネジ挿通孔
５４  突出部
５７  突き当て部
６１  ネジ
６６  雌ネジ部
６７  上段嵌合組
６８  下段嵌合組
【図１】
2014079271.tif 000003
【図２】
2014079271.tif 000004
【図３】
2014079271.tif 000005
【図４】
2014079271.tif 000006
【図５】
2014079271.tif 000007
【図６】
2014079271.tif 000008
【図７】
2014079271.tif 000009